(57)【要約】【課題】電池の特性の劣化や短寿命化を防止することが可能な自動車用電池の冷却構造、自動車用電池システムおよび自動車を提供する。【解決手段】自動車に搭載される自動車用電池の冷却構造であって、吸気ダクト２２と送風ファン２１とを備える。吸気ダクト２２には、自動車のシート１９より後方のラゲージスペース１８において、ラゲージスペース１８に搭載される荷物を覆うためのトノカバー２６より上方に位置する吸気口２３が形成されている。また、吸気ダクト２２は電池パック５と接続されている。送風ファン２１は、電池パック５を冷却するための冷却風を、吸気ダクト２３の内部から吸気口２３を介して流通させるためのものである。【選択図】　　　　図１
2004001683.tif 000002
【特許請求の範囲】
【請求項１】
自動車に搭載される自動車用電池の冷却構造であって、
自動車のシートより後方のラゲージスペースにおいて、前記ラゲージスペースに搭載される荷物を覆うためのトノカバーより上方に位置する吸排気口が形成され、自動車用電池と接続された吸排気ダクトと、
自動車用電池を冷却するための冷却風を、前記吸排気ダクトの内部から前記吸排気口を介して流通させるための送風部材とを備える、自動車用電池の冷却構造。
【請求項２】
前記吸排気口は前記冷却風を前記吸排気ダクトに取込むための吸気口であり、
前記吸排気ダクトは前記送風部材を介して前記自動車用電池と接続されている、請求項１に記載の自動車用電池の冷却構造。
【請求項３】
前記吸排気口は、前記自動車のラゲージスペースに面する側壁に配置されている、請求項１または２に記載の自動車用電池の冷却構造。
【請求項４】
前記吸排気口が前記ラゲージスペースに搭載される荷物により塞がれることを防止する閉塞防止手段をさらに備える、請求項１〜３のいずれか１項に記載の自動車用電池の冷却構造。
【請求項５】
前記吸排気ダクトは、前記ラゲージスペースにおける前記トノカバーより上方の領域であって、前記吸排気口とは異なる位置に形成された他の吸排気口を含む、請求項１〜４のいずれか１項に記載の自動車用電池の冷却構造。
【請求項６】
自動車に搭載される自動車用電池システムであって、
電池と、
前記電池に冷却風を送るための送風部材と、
前記自動車のシートより後方のラゲージスペースにおいて、前記ラゲージスペースに搭載される荷物を覆うためのトノカバーより上方に位置する吸排気口が形成されるとともに、前記送風部材によって送風される前記冷却風が流通する吸排気ダクトとを備える、自動車用電池システム。
【請求項７】
前記吸排気口は前記冷却風を前記吸排気ダクトに取込むための吸気口であり、
前記吸排気ダクトは前記送風部材を介して前記自動車用電池と接続されている、請求項６に記載の自動車用電池システム。
【請求項８】
電池を搭載した自動車であって、
車体と、
前記車体の内部であって、前記自動車のシートより後方のラゲージスペースに配置され、前記ラゲージスペースに搭載される荷物を覆うためのトノカバーとを備え、
前記車体の内壁のうち、前記トノカバーより上方に位置する領域には、前記電池を冷却するための空気を流通させる吸排気口が形成されている、自動車。
【請求項９】
前記吸排気口は前記電池を冷却するための空気を取込む吸気口である、請求項８に記載の自動車。
【請求項１０】
自動車に搭載される自動車用電池の冷却構造であって、
自動車の客室に面し、前記客室のシート座面より上方に配置された吸気口が形成され、自動車用電池と接続された吸気ダクトと、
自動車用電池を冷却するための冷却風を、前記吸気口から前記吸気ダクトの内部へ取込むための送風部材とを備える、自動車用電池の冷却構造。
【請求項１１】
前記吸気口は、前記自動車のリアシートと隣接する部分に形成されている、請求項１０に記載の自動車用電池の冷却構造。
【請求項１２】
前記吸気口は、前記自動車の客室に面する側壁面に形成されている、請求項１０に記載の自動車用電池の冷却構造。
【請求項１３】
前記吸気口は、前記自動車の天井面に形成されている、請求項１０に記載の自動車用電池の冷却構造。
【請求項１４】
前記吸気ダクトには、前記客室に面し、前記客室のシート座面より上方に配置された１つ以上の他の吸気口が形成されている、請求項１０〜１３のいずれか１項に記載の自動車用電池の冷却構造。
【請求項１５】
前記吸気ダクトの前記他の吸気口は、前記自動車のリアシートと隣接する部分、前記自動車の客室に面する側壁面および前記自動車の天井面のいずれかに形成されている、請求項１４に記載の自動車用電池の冷却構造。
【請求項１６】
自動車に搭載される自動車用電池システムであって、
電池と、
前記電池に冷却風を送るための送風部材と、
自動車の客室に面し、前記客室のシート座面より上方に配置された吸気口が形成されるとともに、前記吸気口から取込んだ空気を前記冷却風として前記電池に供給できるように、前記送風部材に接続された吸気ダクトとを備える、自動車用電池システム。
【請求項１７】
電池を搭載した自動車であって、
客室を有する車体と、
前記車体の内部に配置された電池とを備え、
前記車体の内壁のうち、前記客室に面し、前記客室のシート座面より上方に位置する領域には、前記電池を冷却するための冷却風を取込む吸気口が形成されている、自動車。
【発明の詳細な説明】
【０００１】
【発明の属する技術分野】
この発明は、自動車用電池の冷却構造、自動車用電池システムおよび自動車に関し、より特定的には、電池の特性の劣化や短寿命化を防止することが可能な自動車用電池の冷却構造、自動車用電池システムおよび自動車に関する。
【０００２】
【従来の技術】
近年、電動機を駆動源とした電気自動車や、電動機とガソリンエンジンなど複数種類の駆動源を有する、いわゆるハイブリッドカーが実用化されてきている。このような電気自動車などには、電動機などにエネルギーである電気を供給するための電池が搭載されている。この電池としては、繰返し充放電が可能なニッカド電池（Ｎｉ−Ｃｄ電池）やニッケル−水素電池などの二次電池が用いられる。
【０００３】
上記のような二次電池では、電池において充放電が行われる際に、電池の構成要素である電池セルから熱が発生する。電池セルの性能劣化を防止するため、この熱を適切に除去する必要がある。
【０００４】
このように電池を冷却するための手法の１つとして、従来、自動車の車内から空気を取込み、その空気を送風ファンなどにより冷却風として電池に供給するという手法が知られている（例えば、特許文献１参照）。また、この場合、自動車の車内から空気を取込む吸気ダクトなどの部材をできるだけ小さくして、電池システムの小型化、簡略化を図るという観点から、空気を取込む吸気口は電池の比較的近傍に配置される。
【０００５】
【特許文献１】
特開２００１−２３７００号公報
【０００６】
【発明が解決しようとする課題】
ここで、自動車の車体構成などにより、シートより後方のラゲージスペースの床面上や床面下などに電池が搭載される場合を考える。この場合、車内から空気を取込む吸気口を電池の近傍、たとえばラゲージスペースの床面などに配置することが考えられる。このようにすれば、吸気ダクトの全長は短くなり、電池システム自体の小型化には有利である。
【０００７】
しかし、ラゲージスペースに荷物を搭載すると、搭載された荷物により上記吸気口が塞がれる場合があった。このように吸気口が塞がれると、電池に充分な冷却風を供給することができなくなる。このため、電池を充分冷却することができず、電池の温度が所定の温度範囲から外れることになる。そして、電池の温度が過剰に上昇した場合、電池の特性の劣化や短寿命化といった問題が発生する。また、いわゆるリフトバック車やワゴン車などにおいては、ラゲージスペースの使用頻度が高いため、上述のような問題の発生確率が高くなる。
【０００８】
さらに、リフトバック車やワゴン車などでは、ラゲージスペースにおいて搭載された荷物を覆うためのトノカバーが設置されている。このようなトノカバーがラゲージスペースの荷物上に配置されると、ラゲージスペースの床面近傍へ自動車の車内の空気（自動車のエアコンなどで冷却された空気）が流入し難くなる。この結果、吸気口が荷物などで塞がれていない場合であっても、トノカバーが配置されることで、吸気口から充分な空気を取込むことが難しくなる場合が考えられる。この場合も、上述のように電池の冷却が不充分になるので、電池の特性の劣化や短寿命化といった問題が発生する。
【０００９】
また、電池を冷却した冷却風を排出する排気口についても、上述のようにラゲージスペースの床面に排気口を配置すると、荷物により排気口が塞がれることにより、冷却風が排気口からスムーズに排出されないといった問題が発生し得る。この場合、電池の周囲における冷却風の流れが阻害されることになるので、やはり電池の冷却が不充分となる恐れがある。この結果、電池の特性の劣化や短寿命化といった問題が発生する。
【００１０】
この発明は、上記のような課題を解決するためになされたものであり、この発明の目的は、電池の特性の劣化や短寿命化を防止することが可能な自動車用電池の冷却構造、自動車用電池システムおよび自動車を提供することである。
【００１１】
【課題を解決するための手段】
この発明に従った自動車用電池の冷却構造は、自動車に搭載される自動車用電池の冷却構造であって、吸排気ダクトと送風部材とを備える。吸排気ダクトには、自動車のシートより後方のラゲージスペースにおいて、ラゲージスペースに搭載される荷物を覆うためのトノカバーより上方に位置する吸排気口が形成されている。また、吸排気ダクトは自動車用電池と接続されている。送風部材は、自動車用電池を冷却するための冷却風を、吸排気ダクトの内部から吸排気口を介して流通させるためのものである。
【００１２】
また、上記自動車用電池の冷却構造において、吸排気口は冷却風を吸排気ダクトに取込むための吸気口であってもよい。また、吸排気ダクトは送風部材を介して自動車用電池と接続されていてもよい。つまり、この発明に従った自動車用電池の冷却構造は、自動車に搭載される電池の冷却構造であって、吸気ダクトと送風部材とを備える。吸気ダクトには、自動車のシートより後方のラゲージスペースにおいて、ラゲージスペースに搭載される荷物を覆うためのトノカバーより上方に位置する吸気口が形成されている。送風部材は、吸気ダクトと接続され、吸気口を介して取込んだ空気を冷却風として電池に供給する。
【００１３】
また、この発明に従った自動車用電池システムは、自動車に搭載される自動車用電池システムであって、電池と送風部材と吸排気ダクトとを備える。送風部材は電池に冷却風を送るためのものである。吸排気ダクトには、自動車のシートより後方のラゲージスペースにおいて、ラゲージスペースに搭載される荷物を覆うためのトノカバーより上方に位置する吸排気口が形成されている。吸排気ダクトでは、送風部材によって送風される冷却風が流通する。
【００１４】
また、上記自動車用電池システムでは、吸排気口は冷却風を吸排気ダクトに取込むための吸気口であってもよく、吸排気ダクトは送風部材を介して自動車用電池と接続されていてもよい。つまり、この発明に従った自動車用電池システムは、自動車に搭載される電池システムであって、電池と、送風部材と、吸気ダクトとを備える。送風部材は電池に冷却風を送るためのものである。吸気ダクトは、自動車のシートより後方のラゲージスペースにおいて、ラゲージスペースに搭載される荷物を覆うためのトノカバーより上方に位置する吸気口が形成された一方端から、送風部材に接続された他方端にまで延在する。
【００１５】
また、この発明に従った自動車は、電池を搭載した自動車であって、車体とトノカバーとを備える。トノカバーは、車体の内部であって、自動車のシートより後方のラゲージスペースに配置される。トノカバーはラゲージスペースに搭載される荷物を覆うためのものである。車体の内壁のうち、トノカバーより上方に位置する領域には、電池を冷却するための空気を流通させる吸排気口が形成されている。
【００１６】
また、上記自動車において、吸排気口は電池を冷却するための空気を取込む吸気口であってもよい。つまり、この発明に従った自動車では、自動車の車体の内壁のうち、トノカバーより上方に位置する領域には、電池を冷却するための空気を取込む吸気口が形成されている。
【００１７】
このようにすれば、ラゲージスペースに荷物が搭載された際に、その荷物により吸排気口が塞がれる危険性を低減できる。すなわち、ラゲージスペースの床面などに吸排気口が配置されていると、荷物が吸排気口を塞ぐように搭載される危険性がある。しかし、本発明によれば、トノカバーより上方（つまりラゲージスペースの上側の領域）に吸排気口が位置するので、上述のように荷物により吸排気口が塞がれる危険性を小さくできる。ここで、吸排気口とは、冷却風をとり込む為の吸気口、電池を冷却した後の冷却風を排出するための排気口、および電池の制御状態により冷却風の吸気口および排気口のうちのいずれかとして機能するように切替えて使用される通風口を含むものである。また、吸排気ダクトとは、吸気口を介して取込んだ（電池を冷却する前の）冷却風を流通させる吸気ダクト、電池を冷却した後の冷却風を流通させる排気ダクト、および電池の制御状態により、電池を冷却する前の冷却風または電池を冷却した後の冷却風が流れるように切替えて使用されるようなダクトを含むものである。
【００１８】
また、トノカバーより上に吸排気口が位置しているので、トノカバーをラゲージスペースの荷物の上に配置した場合であっても、トノカバーに邪魔されること無く吸排気口を介して車内の空気を取込んだり、電池を冷却した後の冷却風を車内に放出したりすることができる。
【００１９】
たとえば、吸排気口が吸気口として機能する場合、吸気口として作用する吸排気口から車内の空気を容易に取込むことができる。したがって、送風部材に充分な空気を送ることができるので、電池に送風部材から充分な量の冷却風を供給することができる。この結果、電池の冷却が不充分になることに起因して、電池の性能が劣化する、あるいは寿命が短くなるといった問題の発生を抑制できる。
【００２０】
上記自動車用電池の冷却構造または上記自動車用電池システムまたは上記自動車において、吸排気口は、自動車のラゲージスペースに面する側壁に配置されていてもよい。また、吸排気口は、側壁のうちラゲージスペースの床面と交差する方向に延びる壁面部分に形成されていることが好ましい。
【００２１】
この場合、吸排気ダクトまたは吸気ダクトは自動車の車体の側壁内部に組込まれることになる。つまり、側壁内部の空間を利用できるので、ラゲージスペースに吸排気ダクトまたは吸気ダクトが露出する場合よりラゲージスペースの容積の減少を抑制できる。
【００２２】
また、吸排気口がラゲージスペースの床面と交差する方向に伸びる壁面部分に形成されているので、吸排気口上に荷物が搭載されることはない。そのため、吸排気口が荷物により塞がれることを確実に防止できる。
【００２３】
上記自動車用電池の冷却構造または上記自動車用電池システムまたは上記自動車は、吸排気口がラゲージスペースに搭載される荷物により塞がれることを防止する閉塞防止手段をさらに備えていてもよい。閉塞防止手段は、吸排気口に隣接するように形成された凸部および吸気口上に配置された棒状体の少なくともいずれか一方を含んでいてもよい。
【００２４】
この場合、吸排気口上に荷物が配置される場合であっても、閉塞防止手段としての凸部あるいは棒状体が存在することで、荷物の表面が吸気口と密着することを防止できる。つまり、荷物が上記凸部あるいは棒状体と接触するので、荷物と吸排気口との間には間隙が形成される。このため、荷物がある場合であっても、この間隙を介して吸気口から空気を取込むことができる。
【００２５】
上記自動車用電池の冷却構造または上記自動車用電池システムにおいて、吸排気ダクトは、ラゲージスペースにおけるトノカバーより上方の領域であって、吸排気口とは異なる位置に形成された他の吸排気口を含んでいてもよい。また、上記自動車において、車体の内壁のうち、トノカバーより上方に位置する領域であって、吸排気口とは異なる位置に他の吸排気口が形成されていてもよい。
【００２６】
この場合、もし１つの吸排気口が荷物などにより塞がれても、他の吸排気口から空気を取込むことができるので、電池を確実に冷却することができる。
【００２７】
また、この発明に従った自動車用電池の冷却構造は、自動車に搭載される自動車用電池の冷却構造であって、吸排気ダクトと送風部材とを備える。吸排気ダクトには、自動車の客室に面し、客室のシート座面より上方に配置された吸排気口が形成されている。吸排気ダクトは自動車用電池と接続されている。送風部材は、自動車用電池を冷却するための冷却風を、吸排気ダクトの内部から吸排気口を介して流通させるためのものである。
【００２８】
上記自動車用電池の冷却構造では、吸排気口が吸気口であってもよい。つまり、本発明に従った自動車用電池の冷却構造は、自動車に搭載される自動車用電池の冷却構造であって、吸気ダクトと送風部材とを備える。吸気ダクトには、自動車の客室に面し、客室のシート座面より上方に配置された吸気口が形成されている。吸気ダクトは自動車用電池と接続されている。送風部材は、自動車用電池を冷却するための冷却風を、吸気口から吸気ダクトの内部へ取込むためのものである。
【００２９】
また、この発明に従った自動車用電池システムは、自動車に搭載される自動車用電池システムであって、電池と送風部材と吸排気ダクトとを備える。送風部材は電池に冷却風を送るためのものである。吸排気ダクトには、自動車の客室に面し、客室のシート座面より上方に配置された吸排気口が形成されている。吸排気ダクトでは、送風部材によって送風される冷却風が流通する。
【００３０】
上記自動車用電池システムでは、吸排気口は冷却風を吸排気ダクトに取込むための吸気口であってもよい。つまり、この発明に従った自動車用電池システムは、自動車に搭載される自動車用電池システムであって、電池と送風部材と吸気ダクトとを備える。送風部材は、電池に冷却風を送るためのものである。吸気ダクトには、自動車の客室に面し、客室のシート座面より上方に配置された吸気口が形成される。吸気ダクトは、吸気口から取込んだ空気を冷却風として電池に供給できるように、送風部材に接続されている。
【００３１】
また、この発明に従った自動車は、電池を搭載した自動車であって、客室を有する車体と、車体の内部に配置された電池とを備える。車体の内壁のうち、客室に面し、客室のシート座面より上方に位置する領域には吸排気口が形成されている。吸排気口は、電池を冷却するための冷却風を流通させるためのものである。
【００３２】
また、上記自動車では、吸排気口が吸気口であってもよい。つまり、この発明に従った自動車では、車体の内壁のうち、客室に面し、客室のシート座面より上方に位置する領域に吸気口が形成されている。吸気口は電池を冷却するための冷却風を取込む。
【００３３】
このようにすれば、ラゲージスペースではなく客室から吸排気口を介して電池の冷却風を取込むことができる（あるいは、電池を冷却した後の冷却風を客室に排出できる）。この結果、ラゲージスペースに荷物が搭載された場合であっても、荷物により吸排気口が塞がれる危険性を低減できる。
【００３４】
また、ラゲージスペースに対向する車体の上壁面には窓が形成されている場合がある。このような場合、ラゲージスペースには日光が差し込むことになるが、この日光の照射によりラゲージスペースの雰囲気温度は上昇する。そのため、ラゲージスペースから電池のための冷却風を取込むと、温度の高い冷却風を用いて電池を冷却することになるので、電池の冷却効率が低下することになる。
【００３５】
しかし、客室はその天井面に通常窓が無い為、客室への日光の照射量はラゲージスペースへの日光の照射量より少ない。そのため、日光による客室の雰囲気温度の上昇の程度は、ラゲージスペースにおける日光による雰囲気温度の上昇の程度より小さい。また、客室は通常エアコンディショナにより乗車しているユーザにとって快適な温度（たとえば、夏なら車外の雰囲気温度より低い温度）に保たれている。したがって、本発明のように客室から冷却風を取込むようにすれば、ラゲージスペースから冷却風を取込む場合より相対的に温度の低い冷却風を安定して電池に供給できる。したがって、効果的に電池を冷却できるので、電池の冷却が不充分になる危険性を低減できる。
【００３６】
上記自動車用電池の冷却構造または上記自動車用電池システムまたは上記自動車において、上記吸排気口または吸気口は、自動車のリアシートと隣接する部分に形成されていてもよい。
【００３７】
ここで、リアシートと隣接する部分（たとえば、リアシートの背もたれ部に隣接する部分であるシートサイドガーニッシュ）は、リアシートに人が座ってもその全面が人により塞がれることはない。そのため、吸排気口から電池の冷却風を確実に取込む、あるいは排出することができる。
【００３８】
なお、この場合、リアシートと隣接する部分のうち、できるだけ車体上方に近い部分に吸排気口または吸気口を形成することが好ましい。このようにすれば、客室前方にエアコンディショナの送風口が形成されているような場合、その送風口から吹出した風を吸排気口（吸気口）から容易に取込むことができる。
【００３９】
また、リアシートの後側（ラゲージスペースなど）に電池および冷却風を送風するためのファンといった送風部材が配置されていると、この送風部材および電池から吸排気口までの距離を比較的短くできる（吸排気ダクトの長さを短くできる）。つまり、吸排気ダクトの配置を容易に行なうことができるとともに、排気ダクトが長くなることによる車体質量の増加を抑制できる。
【００４０】
上記自動車用電池の冷却構造または上記自動車用電池システムまたは上記自動車において、上記吸排気口（または吸気口）は、自動車の客室に面する側壁面に形成されていてもよい。
【００４１】
この場合、客室のシートに人が座っていても、側壁面に形成された吸排気口または吸気口が塞がれる可能性は低い。そのため、吸排気口などを介して電池の冷却風を確実に取込む、あるいは電池を冷却した冷却風を排出することができる。
【００４２】
また、客室の天井面に近い位置（客室上方）に吸排気口（吸気口）を形成すれば、客室のシートに座った人から吸排気口（吸気口）までの距離を長くできる。このため、シートに座った人により吸排気口（吸気口）が塞がれる危険性をより低減できる。
【００４３】
また、客室前方にエアコンディショナの送風口がある場合、その送風口に近い位置に吸排気口（吸気口）を配置すれば、送風口から放出された空気（たとえば、エアコンディショナが冷房運転されている場合はより低温の空気）を吸排気口（吸気口）から取込むことができる。
【００４４】
上記自動車用電池の冷却構造または上記自動車用電池システムまたは上記自動車において、上記吸排気口または吸気口は、自動車の客室に面した天井面に形成されていてもよい。
【００４５】
この場合、客室のシートに人が座っていても、天井面に形成された吸排気口または吸気口が塞がれる可能性は低いので、吸排気口などを介して電池の冷却風を確実に取込む、あるいは電池を冷却した冷却風を排出することができる。
【００４６】
上記自動車用電池の冷却構造または上記自動車用電池システムまたは上記自動車において、吸排気ダクト（または吸気ダクト）には、１つ以上の他の吸排気口（または吸気口）が形成されていてもよい。他の吸排気口（または他の吸気口）は、客室に面し、客室のシート座面より上方に配置されていてもよい。
【００４７】
この場合、１つの吸排気口（または吸気口）が塞がれても、他の吸排気口（または他の吸気口）から空気を取込む、あるいは冷却後の冷却風を排出することができる。したがって、電池を確実に冷却できる。
【００４８】
上記自動車用電池の冷却構造または上記自動車用電池システムまたは上記自動車において、吸排気ダクト（または吸気ダクト）の前記他の吸排気口（または他の吸気口）は、前記自動車のリアシートと隣接する部分、前記自動車の客室に面する側壁面および前記自動車の天井面のいずれかに形成されていてもよい。
【００４９】
この場合、客室のシートに人が座った際に、他の吸排気口（または他の吸気口）を、その人により塞がれ難い場所に配置することになる。したがって、他の吸排気口（または他の吸気口）を介して冷却風の取込み、あるいは電池の冷却後の冷却風の排出を確実に行なうことができる。
【００５０】
また、この発明に従った自動車用電池システムは、上記自動車用電池の冷却構造を備える。
【００５１】
このようにすれば、自動車用電池を確実に冷却できるので、電池の特性劣化や短寿命化を抑制することが可能な自動車用電池システムを実現できる。
【００５２】
【発明の実施の形態】
以下、図面に基づいて本発明の実施の形態を説明する。なお、以下の図面において同一または相当する部分には同一の参照番号を付しその説明は繰返さない。
【００５３】
（実施の形態１）
図１は、本発明による電池システムを搭載した自動車の実施の形態１のラゲージスペースを示す透視模式図である。図２は、図１に示した自動車の後部の側面透視模式図である。図３は、図１に示した自動車のブロック図である。図４は、図１に示した自動車に搭載される電池システムの電池パックとこの電池パックに冷却風を導入する冷却風導入機構の展開模式図である。図１〜図４を参照して、本発明による電池システムを搭載した自動車を説明する。
【００５４】
図１に示すように、本発明による自動車用電池システムを搭載した自動車は、電池パック５が車体後部２８（図２参照）に位置するラゲージスペース１８の床面上（側面から見て、タイヤ２９（図２参照）とほぼ重なる位置、あるいはタイヤ２９（図２参照）より上側の位置）に配置されている。電池パック５には、送風ダクト２０を介して送風ファン２１が接続されている。送風部材としての送風ファン２１には、自動車の室内から電池パック５の内部に収容されたモジュール集合体１１（図４参照）を冷却するための冷却風を取込むため、吸排気ダクトとしての吸気ダクト２２が接続されている。送風ファン２１は、吸排気口としての吸気口２３から吸気ダクト２２を介して冷却風を取込む（吸気ダクト２２の内部から吸気口２３を介して冷却風を流通させる）。吸気ダクト２２、送風ファン２１および送風ダクト２０から電池の冷却構造としての冷却風導入機構が構成される。吸気口２３から取込まれた冷却風は、吸気ダクト２２から送風ファン２１に送られ、さらに送風ファン２１から送風ダクト２０を介して電池パック５に供給される。
【００５５】
また、電池パック５には、送風ファン２１から送風ダクト２０を介して電池パック５に供給され、電池パック５の内部でモジュール集合体１１（図４参照）を冷却した冷却風が自動車の外部へと排出されるための排気ダクト２４（図１参照）が接続されている。排気ダクト２４の電池パック５と接続された一方端部と反対側に位置する他方端部は、車体の側面に形成された排気口２５へと接続されている。
【００５６】
また、ラゲージスペース１８の床面を覆うことができるように、トノカバー２６が配置されている。トノカバー２６は、リアシート１９の上部とほぼ同じ高さに配置されている。トノカバー２６は、ラゲージスペース１８の床面を覆うとともにリアシート１９に隣接する領域まで延びるように設置されている。このトノカバー２６が配置された位置より上側に位置するラゲージサイドトリム棚部２７に、吸気ダクト２２の吸排気口としての吸気口２３が形成されている。つまり、トノカバー２６より上に位置する吸気口２３が形成された一方端から、送風ファン２１に接続された他方端にまで延在するように吸気ダクト２２は形成されている。
【００５７】
このような本発明による電池システムは、自動車の車両に搭載される電池システムであり、図１および図２に示したような電池パック５とこの電池パック５に冷却風を供給するための送風ファン２１、吸気ダクト２２および送風ダクト２０からなる冷却風導入機構と、電池パック５から冷却風を自動車の外部へと排出するための排気ダクト２４などからなる排気機構、電池システムのメンテナンスなどのために用いられる安全装置、さらに電池システムを制御するためのバッテリコンピュータなどを備える。
【００５８】
図１および図２に示した自動車は、図３に示すように、制御部２と、本発明による電池システムを含む電池部３と、駆動部４とを備える自動車１である。図３に示すように、制御部２は電池部３および駆動部４を制御する。駆動部４は、電池部３から供給される電流によって駆動するモータなどの電動機以外に、ガソリンエンジンやディーゼルエンジンなどの内燃機関を備えていてもよい。すなわち、自動車１には、電池部３から供給される電流によって駆動するモータなどの電動機のみを駆動源とする電気自動車だけではなく、駆動源としてガソリンエンジンなど電動機以外の駆動手段を備えたいわゆるハイブリッドカーも含まれる。
【００５９】
図１および図２に示した電池パック５は、たとえば図４に示すように、バッテリカバー６およびロワーケース１２からなる外装部材の内部にモジュール集合体１１が収容された構造となっていてもよい。電池集合体としてのモジュール集合体１１は、複数の電池モジュール１７を積層して形成されている。なお、積層された電池モジュール１７の間には、冷却風を流通させることができるように、冷却風流路としての間隙が形成されている。電池モジュール１７としては、たとえばニッケル−水素電池などの２次電池を用いることができる。電池としての電池モジュール１７はいわゆる角型平板状の外形を有している。
【００６０】
電池モジュール１７は、複数の電池セルを含む。具体的には、電池モジュール１７はモジュール外装部材である一体ケースと、このプラスチック製の一体ケースの内部に配置され、隔壁により仕切られた６つの電池セルとを備える。一体ケースの長軸方向における端面上には、端子１６が形成されている。電池モジュール１７の積層方向に対してほぼ垂直方向に延びる側面上には、隣接する電池モジュール１７の間に冷却風流路としての間隙を形成するための突起部（図示せず）が形成されている。電池モジュール１７を積層したモジュール集合体１１では、電池モジュール１７の上記突起部同士が当接することにより、電池モジュール１７の間に間隙が形成される。
【００６１】
電池モジュール１７において、一体ケース内部に収納された６つの電池セルは、それぞれ基本的に同様の構造を備える。電池セルは、たとえばシート状の複数の電極部材をセパレータによって絶縁状態として相互に重ねて構成された積層電極体と、この積層電極体を挟むように配置された１対の集電板とからなる。なお、積層電極体には電解液が含浸あるいは注入されている。
【００６２】
積層電極体においては、正極となる電極部材と、負極となる電極部材とが交互に重なった状態となっている。また、正極となる電極部材の端部は、一括して一方の集電板に接続されている。また、負極となる電極部材の端部は、一括して他方の集電板に接続されている。この結果、正極となるすべての電極部材と一方の集電板とは電気的に接続された状態となる。また、負極となるすべての電極部材と他方の集電板とは電気的に接続された状態となる。
【００６３】
電池モジュール１７に含まれる６つの電池セルは、電気的に直列に接続される。たとえば、電池セルのそれぞれの定格電圧が１．２Ｖである場合、電池モジュール１７全体の定格電圧は７．２Ｖとなる。
【００６４】
なお、電池セルの構成は、上述したような構成に限らず、他の構成であってもよい。また、ここではモジュール集合体１１（図４参照）として、電池モジュール１７（図４参照）を複数積層した構造のものを用いているが、モジュール集合体１１として、電池モジュールに代えて電池セルを積層したような構造の電池を用いてもよい。また、図４に示したような角型箱状の電池ではなく、たとえば円筒形状などのような他の形状の電池をバッテリカバー６およびロワーケース１２からなる筐体の内部に収納していてもよい。
【００６５】
図４に示すように、モジュール集合体１１の両端部には拘束プレート１０ａ、１０ｂが配置されている。拘束プレート１０ａ、１０ｂは、拘束パイプ８ａ、８ｂにより互いに接続固定されている。なお、拘束プレート１０ａ、１０ｂはロワーケース１２に固定されている。また、個々の電池モジュール１７もロワーケース１２に固定されている。
【００６６】
モジュール集合体１１を構成する電池モジュール１７のそれぞれの側面（端面）上には、既に述べたように電池モジュール１７へと電流の入出力を行なうための端子１６が形成されている。この電池モジュール１７の端子１６を互いに接続するために、モジュール集合体１１の側面上にはバスバーモジュール９ａ、９ｂが配置されている。バスバーモジュール９ａ、９ｂが電池モジュール１７のそれぞれの端子１６に接続されることにより、モジュール集合体１１では、電池モジュール１７が電気的に直列接続されている。
【００６７】
モジュール集合体１１の上部表面上には、電池モジュール１７から排気される水素ガスなどをモジュール集合体１１から排出するための安全弁を内蔵した排気端子１５が形成されている。この排気端子１５上には、排気端子１５と接続され、電池モジュール１７から排出される水素ガスなどを電池パック５の外部へと排出するための排気ホース７が設置されている。また、モジュール集合体１１の上部表面上には、モジュール集合体１１の温度を測定するための温度センサ１３およびハーネスが配置されている。この温度センサ１３の出力に応じて、モジュール集合体１１の温度を所定の範囲に保持するため、モジュール集合体１１へ送風ファン２１により冷却風が供給される。
【００６８】
送風ファン２１は、その内部に配置された回転軸（図示せず）と、この回転軸の外周上に設置された複数の送風フィン（図示せず）と、図示していないがこの回転軸に接続されたモータとを備える。このモータが回転することにより回転軸が回転し、送風ファン２１から送風ダクト２０へと冷却風が供給される。そして、図１の矢印で示すように、冷却風は送風ダクト２０を介して電池パック５の内部へと供給される。図１からもわかるように、冷却風は電池パック５の上部側におけるバッテリカバー６とモジュール集合体１１（図４参照）との間に形成される冷却風流路としての間隙へと供給される。そして、この間隙に供給された冷却風は、モジュール集合体１１（図４参照）を構成する電池モジュール１７（図４参照）の間に形成された間隙を上から下へ流通する。そして、冷却風はモジュール集合体１１の熱を除去した後、モジュール集合体１１の下部表面とロワーケース１２（図４参照）との間に形成される下部冷却風流路としての間隙へと到達する。その後、この下部冷却風流路としての間隙と接続された排気ダクト２４（図１参照）を介して、冷却風は排気口２５（図１参照）から自動車の外部へと排出される。
【００６９】
このように、本発明による自動車では、ラゲージスペース１８（図１参照）に荷物が搭載された際に、その荷物により吸気口２３（図１参照）が塞がれる危険性を低減できる。すなわち、ラゲージスペース１８（図１参照）の床面などに吸気口が配置されていると、荷物が吸気口を塞ぐように搭載される危険性がある。しかし、本発明による自動車では、図１に示すようにトノカバー２６より上方（つまりラゲージスペース１８の上側の領域）に吸気口２３が位置するので、上述のように荷物により吸気口２３が塞がれることを防止できる。
【００７０】
また、トノカバー２６より上に吸気口２３が位置しているので、トノカバー２６をラゲージスペース１８の荷物の上に配置した場合であっても、トノカバー２６に邪魔されること無く車内の空気を吸気口２３から取込むことができる。したがって、送風部材としての送風ファン２１に充分な空気を送ることができるので、電池パック５に送風ファン２１から充分な量の冷却風を供給することができる。この結果、電池パック５に収納された電池モジュール１７（図４参照）の冷却が不充分になることに起因して、電池の性能が劣化する、あるいは寿命が短くなるといった問題の発生を抑制できる。
【００７１】
また、図１に示すように吸気ダクト２２および送風ファン２１は自動車の車体の側壁内部に組込まれた状態になっているので、ラゲージスペース１８に吸気ダクト２２などが露出して配置される場合より、ラゲージスペース１８の容積の減少を抑制できる。
【００７２】
なお、上述した実施の形態では、吸排気口の例として吸気口２３を用いて説明しているが、電池を冷却した後の冷却風を排出するための排気口を車内に設ける場合、その排気口の位置についても、上述した吸気口２３と同様にトノカバー２６より上方とすることが好ましい。この場合、排気口が形成された排気ダクトは、送風ファンを介して電池パックと接続されていてもよいし、排気ダクト、電池パック、送風ファンという順番で接続されていてもよい。
【００７３】
図５は、図１〜４に示した本発明による電池システムを搭載した自動車の実施の形態１の第１の変形例のラゲージスペースを示す透視模式図である。図５は図１に対応する。図５を参照して、本発明による電池システムを搭載した自動車の実施の形態１の第１の変形例を説明する。
【００７４】
図５に示すように、自動車は基本的に図１〜４に示した自動車と同様の構造を備えるが、吸気口２３の近傍の構造が異なる。すなわち、図５に示した自動車では、吸気口２３に隣接して、吸気口２３を挟むように凸部３１ａ、３１ｂが配置されている。
【００７５】
この場合、図１〜４に示した自動車と同様の効果を得ることができると同時に、吸気口２３上に荷物が配置されたような場合であっても、閉塞防止手段としての凸部３１ａ、３１ｂが存在することで、荷物の表面が吸気口２３と密着することを防止できる。つまり、荷物が上記凸部３１ａ、３１ｂと接触するので、荷物と吸気口２３との間には間隙が形成される。このため、荷物が存在していても、この間隙を介して吸気口２３から空気を取込むことができる。
【００７６】
図６は、本発明による電池システムを搭載した自動車の実施の形態１の第２の変形例のラゲージスペースを示す透視模式図である。図６は図１に対応する。図６を参照して、本発明による電池システムを搭載した自動車の実施の形態１の第２の変形例を説明する。
【００７７】
図６に示すように、自動車は基本的に図１〜４に示した自動車と同様の構造を備えるが、吸気口２３の近傍の構造が異なる。すなわち、閉塞防止手段である棒状体としての閉塞防止バー３２が吸気口２３を跨ぐように形成されている。
【００７８】
このようにしても、図５に示した自動車と同様の効果を得ることができる。
また、自動車の車内に排気口が形成される場合、その排気口に対して図５および図６に示したような閉塞防止部材（閉塞防止手段）である凸部３１ａ、３１ｂ（図５参照）または閉塞防止バー３２（図６参照）を設置してもよい。この場合、排気口が荷物などで塞がれることを防止できる。
【００７９】
（実施の形態２）
図７は、本発明による電池システムを搭載した自動車の実施の形態２のラゲージスペースを示す透視模式図である。図８は、図７に示した自動車の車体後部を示す側面透視模式図である。図７および図８を参照して、本発明による電池システムを搭載した自動車の実施の形態２を説明する。
【００８０】
図７および図８に示すように、本発明による電池システムを搭載した自動車は、基本的には図１および図２に示した自動車と同様の構造を備えるが、電池パック５へと供給される冷却風を自動車の車内から取込むための吸気口２３の位置が異なる。すなわち、図７および図８に示した自動車においては、吸排気ダクトとしての吸気ダクト２２が自動車のサイド側のボディ内部（側壁内部）においてトノカバー２６よりも上方側へと延在するように形成されている。そして、吸気ダクト２２の終端に位置する吸気口２３は、ラゲージスペース１８の側壁面を構成するラゲージサイドトリム３０に形成されている。
【００８１】
このようにしても、本発明の実施の形態１による自動車と同様の効果を得ることができる。また、吸排気口としての吸気口２３がラゲージスペース１８の床面に対してほぼ垂直方向に延びる側壁を構成するラゲージサイドトリム３０（ラゲージスペース１８の床面と交差する方向に延びる壁面部分であるラゲージサイドトリム３０）に形成されているので、吸気口２３上に荷物などが載った状態で固定されるといったことを確実に防止できる。
【００８２】
また、図７および図８に示した自動車では、吸気口２３がラゲージスペース１８の側壁面に形成されているが、後述するようにこの吸気口２３を自動車の車内の天井部に形成してもよい。このようにすれば、より確実に吸気口２３上に荷物が搭載されるといったことを防止できる。
【００８３】
また、上述した実施の形態１および２においては、吸気口２３を１箇所だけ設けた場合を示しているが、吸気口２３を複数箇所設けてもよい。たとえば、図９に示すように、吸気ダクト２２の上端の一部分を横方向に伸ばし、その伸びた一部分（ダクト部分４３）の先端部に他の吸気口４２を形成してもよい。ここで、図９は、図７および図８に示した本発明による電池システムを搭載した自動車の実施の形態２の変形例を示す側面透視模式図である。こようにすれば、たとえ１箇所の吸気口２３が荷物などによって塞がれたとしても、他の吸気口４２から十分な冷却風を取込むことができる。なお、車内に吸気口ではなく排気口を設ける場合も、複数の排気口を設けることで、１つの排気口が塞がれても、他の排気口から充分に電池パックを冷却した後の冷却風を排出することができる。
【００８４】
（実施の形態３）
図１０は、本発明による電池システムを搭載した自動車の実施の形態３のラゲージスペースを示す透視模式図である。図１１は、図１０に示した自動車のリアシート部を客室側から見た部分斜視模式図である。図１２は、図１０に示した自動車の車体後部を示す側面透視模式図である。図１０〜図１２を参照して、本発明による自動車の実施の形態３を説明する。
【００８５】
図１０〜図１２に示すように、本発明による電池システムを搭載した自動車は、基本的には図１および図２に示した自動車と同様の構造を備えるが、電池パック５へと供給される冷却風を自動車の車内から取込むための吸気口２３の位置が異なる。すなわち、図１０〜図１２に示した自動車においては、吸気ダクト２２（図１２参照）が送風ファン２１（図１２参照）から前方（リアシート１９側）へと延びるように形成されている。そして、図１１からもわかるように、リアシート１９の側部に配置された部材（客室内部に面し、リアシート１９と隣接する部分）であるシートサイドガーニッシュ３３の上方（シート座面４４より上方）に吸気口２３が配置されている。
【００８６】
このようにすれば、本発明実施の形態１による自動車と同様に、ラゲージスペースに荷物が搭載されても、吸気口２３から確実に冷却風を取入れることができる。さらに、図１２に示すように、電池パック５が配置されたラゲージスペース１８は、窓３４を介して車体の外部から日光が入射するので、この日光の影響によって雰囲気温度が上昇する場合がある。そのため、ラゲージスペース１８に面した部分に吸気口２３を設けている場合、日光の影響によって温度の上昇した空気を電池パック５の冷却のために吸気口２３から取込むことになる。しかし、図１０〜図１２に示した自動車では、吸気口２３が配置された位置は車体外部からの直射日光を受けにくい場所である。そのため、上述のような日光の影響により温度の上昇した空気を取込む可能性を低減することができる。
【００８７】
また、吸気口２３が面する領域は客室である。そして、この客室においては、自動車に乗車した人の快適性を考慮し、エアコンディショナから送出された風が比較的よく循環する。そして、この客室内の雰囲気温度は車外温度がある程度高い場合にも、比較的低く維持される。そのため、吸気口２３を通して客室内の（比較的低温の）空気を取込み、電池パック５へと供給することにより、効率的に電池パック５を冷却することができる。
【００８８】
また、図１２に示すように、吸気口２３をシート背もたれ部４５と連なるシートサイドガーニッシュ３３（図１１参照）の上部に配置しているので、シート１９に人が座った場合でも、吸気口２３が人により塞がれる危険性を低減できる。この場合、シートサイドガーニッシュ３３のできるだけ上方に吸気口２３を形成することが好ましい。
【００８９】
また、図１０に示すように、ラゲージスペース１８に電池パック５が配置された場合、シートサイドガーニッシュ３３に吸気口２３を配置すれば、吸気ダクト２２の長さを比較的短くできる。つまり、吸気ダクト２２の配置を容易に行なうことができると共に、吸気ダクト２２が長くなることに起因する自動車の車体質量の増大を抑制できる。
【００９０】
（実施の形態４）
図１３は、本発明による電池システムを搭載した自動車の実施の形態４の車体後部を示す側面透視模式図である。図１３を参照して、本発明による電池システムを搭載した自動車の実施の形態４を説明する。
【００９１】
図１３に示すように、本発明による電池システムを搭載した自動車は、基本的には図１および図２に示した自動車と同様の構造を備えるが、電池パック５へと供給される冷却風を自動車の客室内から取込むための吸気口３６の位置が異なる。すなわち、図１３に示した自動車においては、吸気ダクト２２が、自動車のサイド側のボディ内部（側壁内部）において、自動車のボディ側面に形成された支柱部３５内部へと延在するように形成されている。そして、吸気ダクト２２の終端に位置する吸気口３６は、客室に面する支柱部３５の表面（ラゲージスペース１８と客室との間に位置する側壁面である支柱部３５の表面）に形成されている。
【００９２】
このようにしても、本発明の実施の形態１による自動車と同様の効果を得ることができる。また、図１３に示した自動車では、リアシート１９に人が座っているような場合でも、客室前方にエアコンディショナの送風口が配置されていれば、その送風口から吹出した風が吸気口３６近傍に容易に到達する。そのため、吸気口３６から比較的低温の冷却風を取込むことが可能となる。
【００９３】
図１４は、図１３に示した本発明による電池システムを搭載した自動車の実施の形態４の第１の変形例を示す側面透視模式図である。図１４は、本発明による自動車の車体後部の側面透視模式図であって、図１３に対応する。図１４を参照して、本発明による自動車の実施の形態４の第１の変形例を説明する。
【００９４】
図１４に示したように、本発明による自動車は基本的には図１３に示した自動車と同様の構造を備えるが、吸気口３６に加えて他の吸気口３８を備えている点が異なる。すなわち、図１４に示した自動車では、自動車のボディ側面の支柱部４１に吸気口３８が形成されている。この吸気口３８は、吸気ダクト２２によって送風ファン２１と接続されている。
【００９５】
このようにしても、図１３に示した自動車と同様の効果を得ることができる。また、他の吸気口３８は、客室前方のエアコンディショナの送風口により近い位置に配置されているので、エアコンディショナから送出された冷却風をより確実に吸気口３８から電池パック５の冷却風として取込むことができる。
【００９６】
なお、図１４に示した自動車では、他の吸気口３８以外に、さらに１つ以上の別の吸気口を形成してもよい。
【００９７】
図１５は、図１３に示した本発明による自動車の実施の形態４の第２の変形例を示す側面透視模式図である。図１５は、図１３と同様に、自動車の車体後部の側面透視模式図である。図１６は、図１５に示した自動車の上面透視模式図である。図１５および図１６を参照して、本発明による自動車の実施の形態４の第２の変形例を説明する。
【００９８】
図１５および図１６に示した自動車は、基本的には図１３に示した自動車と同様の構造を備えるが、吸気口４０が自動車の客室天井３９に形成されている点が異なる。すなわち、図１５および図１６に示した自動車では、客室天井３９の客室に面する内周面（天井面）に吸気口４０が形成されている。この吸気口４０は、吸気ダクト２２を介して送風ファン２１と接続されている。吸気ダクト２２は、送風ファン２１が配置された領域から自動車のサイド側のボディ内部（側壁内部）において支柱部３５を介して客室天井３９の内部にまで延在するように配置されている。
【００９９】
このようにしても、図１３に示した自動車と同様の効果を得ることができる。また、図１５および図１６に示すように客室天井３９に吸気口４０を配置すれば、客室のシートに人が座っている場合であっても、客室前方のエアコンディショナの送風口から放出される冷却風をより確実に吸気口４０から取込むことができる。
【０１００】
なお、図１０〜図１６に示した吸気口２３、３６、３８、４０のうちの少なくとも２つを、１台の自動車に同時に形成してもよい。この場合、吸気口の数を増やすことになるので、１つの吸気口が塞がれても他の吸気口から冷却風を取入れることができる。そのため、電池パックを確実に冷却できる。
【０１０１】
また、上述した実施の形態３および４では、吸排気口の例として吸気口２３（図１１参照）、吸気口３６、３８（図１４参照）および吸気口４０（図１５参照）を用いて説明しているが、電池を冷却した後の冷却風を排出するための排気口を車内に設ける場合、その排気口の位置についても、上述した吸気口２３、３６、３８、４０と同様に客室に面すると共に，シート座面４４（図１２参照）より上方とすることが好ましい。この場合、排気口が形成された排気ダクトは、送風ファンを介して電池パックと接続されていてもよいし、排気ダクト、電池パック、送風ファンという順番で接続されていてもよい。
【０１０２】
また、上述した本発明の実施の形態１〜４における自動車では、図４から分かるように、モジュール集合体１１における電池モジュール１７の積層方向と同じ方向から送風ダクト２０を介して冷却風をモジュール集合体１１とバッテリカバー６との間の間隙（冷却流路）に供給しているが、本発明は他の構成の電池システムにも適用可能である。たとえば、送風ダクト２０をモジュール集合体１１とロワーケース１２との間の間隙に接続し、モジュール集合体１１の下面側に冷却風を供給するようにしてもよい。また、このとき、モジュール集合体１１の上部表面とバッテリカバー６との間に形成される間隙と接続するように、排気ダクトを配置することが好ましい。この場合、モジュール集合体１１の下面側の間隙に供給された冷却風は、モジュール集合体１１を構成する電池モジュール１７の間に形成された間隙を下から上へ流通する。そして、冷却風はモジュール集合体１１の熱を除去した後、モジュール集合体１１の上部表面とバッテリカバー６との間に形成される冷却風流路としての間隙へと到達する。その後、モジュール集合体１１の上側の間隙から排気ダクトを介して、冷却風は自動車の車体の外部に放出される。
【０１０３】
また、排気ダクト２４（図１参照）は、図１に示すように電池パック５において送風ダクト２０と同じ側に設置されていてもよいが、電池パック５において送風ダクト２０が位置する側とは反対側に排気ダクト２４を設置してもよい。また、送風ダクト２０は、図４に示すようにモジュール集合体１１における電池モジュール１７の積層方向と同じ方向から電池パック５に接続されているが、電池モジュール１７の積層方向とは異なる方向（たとえば、積層方向に対してほぼ垂直な方向）から電池パック５に接続されていてもよい。
【０１０４】
また、図１に示すように、送風ファン２１には１つの吸気ダクト２２が接続されているが、トノカバー２６より上に吸気口を有する１つ以上の他の吸気ダクト、あるいは客室に面し、シート座面４４（図１２参照）より上方に位置する他の吸気口を有する１つ以上の他の吸気ダクトを送風ファン２１に接続してもよい。
【０１０５】
なお、上述した本発明の実施の形態１〜４における自動車に搭載される電池システムでは、電池パック５（図１参照）を構成するバッテリカバー６（図４参照）の外側に、荷物を載せることが可能な充分な強度を有するカバー部材を配置してもよい。また、バッテリカバー６自体を、荷物を搭載することができる程度に十分な強度を有するようにしてもよい。
【０１０６】
今回開示された実施の形態はすべての点で例示であって制限的なものではないと考えられるべきである。本発明の範囲は上記した実施の形態ではなくて特許請求の範囲によって示され、特許請求の範囲と均等の意味および範囲内でのすべての変更が含まれることが意図される。
【０１０７】
【発明の効果】
このように、本発明によれば、電池に冷却風を確実に供給できるので、電池の温度が過剰に上昇することを抑制できる。したがって、温度上昇に起因する電池の特性劣化や短寿命化を抑制できる。
【図面の簡単な説明】
【図１】本発明による電池システムを搭載した自動車の実施の形態１のラゲージスペースを示す透視模式図である。
【図２】図１に示した自動車の後部の側面透視模式図である。
【図３】図１に示した自動車のブロック図である。
【図４】図１に示した自動車に搭載される電池システムの電池パックとこの電池パックに冷却風を導入する冷却風導入機構の展開模式図である。
【図５】図１〜４に示した本発明による電池システムを搭載した自動車の実施の形態１の第１の変形例のラゲージスペースを示す透視模式図である。
【図６】本発明による電池システムを搭載した自動車の実施の形態１の第２の変形例のラゲージスペースを示す透視模式図である。
【図７】本発明による電池システムを搭載した自動車の実施の形態２のラゲージスペースを示す透視模式図である。
【図８】図７に示した自動車の車体後部を示す側面透視模式図である。
【図９】図７および図８に示した本発明による電池システムを搭載した自動車の実施の形態２の変形例を示す側面透視模式図である。
【図１０】本発明による電池システムを搭載した自動車の実施の形態３のラゲージスペースを示す透視模式図である。
【図１１】図１０に示した自動車のリアシート部を客室側から見た部分斜視模式図である。
【図１２】図１０に示した自動車の車体後部を示す側面透視模式図である。
【図１３】本発明による電池システムを搭載した自動車の実施の形態４の車体後部を示す側面透視模式図である。
【図１４】図１３に示した本発明による電池システムを搭載した自動車の実施の形態４の第１の変形例を示す側面透視模式図である。
【図１５】図１３に示した本発明による自動車の実施の形態４の第２の変形例を示す側面透視模式図である。
【図１６】図１５に示した自動車の上面透視模式図である。
【符号の説明】
１　自動車、２　制御部、３　電池部、４　駆動部、５　電池パック、６　バッテリカバー、７　排気ホース、８ａ，８ｂ　拘束パイプ、９ａ，９ｂ　バスバーモジュール、１０ａ，１０ｂ　拘束プレート、１１　モジュール集合体、１２ロワーケース、１３　温度センサ、１５　排気端子、１６　端子、１７　電池モジュール、１８　ラゲージスペース、１９　リアシート、２０　送風ダクト、２１　送風ファン、２２　吸気ダクト、２３，３６，３８，４０，４２　吸気口、２４　排気ダクト、２５　排気口、２６　トノカバー、２７　ラゲージサイドトリム棚部、２８　車体後部、２９　タイヤ、３０　ラゲージサイドトリム、３１ａ，３１ｂ　凸部、３２　閉塞防止バー、３３　シートサイドガーニッシュ、３４　窓、３５，４１　支柱部、３９　客室天井、４３　ダクト部分、４４　シート座面、４５　シート背もたれ部。
【図１】
2004001683.tif 000003
【図２】
2004001683.tif 000004
【図３】
2004001683.tif 000005
【図４】
2004001683.tif 000006
【図５】
2004001683.tif 000007
【図６】
2004001683.tif 000008
【図７】
2004001683.tif 000009
【図８】
2004001683.tif 000010
【図９】
2004001683.tif 000011
【図１０】
2004001683.tif 000012
【図１１】
2004001683.tif 000013
【図１２】
2004001683.tif 000014
【図１３】
2004001683.tif 000015
【図１４】
2004001683.tif 000016
【図１５】
2004001683.tif 000017
【図１６】
2004001683.tif 000018